(57)【要約】【課題】擁壁用ブロックは小型で、中詰材は少量であるにも拘わらず、高い擁壁であっても土圧に対して十分な耐性を有し、安定性の高い擁壁を提供する。【解決手段】樹脂材料製の格子状枠構造体（１６）と、コンクリート製の擁壁用ブロック（１）とを使用する。格子状枠構造体（１６）を複数段重ねて、その貫通部と法面（２４）との間に現場の土砂を充填して保護基礎（１６Ａ）を形成する。保護基礎（１６Ａ）の前方に隣接して擁壁用ブロック（１）を敷設してその貫通部にニッケル系スラグを充填して擁壁基礎（１Ａ）を形成する。保護基礎（１６Ａ）と擁壁基礎（１Ａ）とからなる擁壁構造体（３０ａ）を、法面（２４）に沿って横方向には保護基礎（１６Ａ）の後方下端部が法面（２４）に隣接するようにして複数個、縦方向には同様に隣接するようにして複数段に構築する。【選択図】   図３
2011043032.tif 000002
【特許請求の範囲】
【請求項１】
表面部と背面部とこれらの面部を繋いでいる繋ぎ部とから、その上下面に開口する貫通部を有するように構成されているコンクリート製の擁壁用ブロックを使用して、切土工事、盛土工事等の工事により生じる法面に擁壁を建設する方法において、
擁壁用ブロックを、その背面部の下端部が法面に隣接するようにして横方向に複数個突き合わせた状態で敷設し、敷設した前記擁壁用ブロックの貫通部には第１の中詰材を充填し、敷設した前記擁壁用ブロックと法面との間の空間部には第３の中詰材を充填して第１段目の擁壁を構築し、
前記第１段目の擁壁の上に、擁壁用ブロックを、その背面部の下端部が法面に隣接するようにして横方向に複数個突き合わせた状態で敷設し、敷設した前記擁壁用ブロックの貫通部には第１の中詰材を充填し、敷設した前記擁壁用ブロックと法面との間の空間部には第３の中詰材を充填して第２段目の擁壁を構築し、以下同様にして複数段の擁壁を構築して、所定高さの擁壁を建設するとき、
少なくとも、前記第１の中詰材としてはニッケル系スラグを充填することを特徴とする擁壁の建設方法。
【請求項２】
ハニカム構造または網目構造を呈するように、その上下面に開口した貫通部を有する樹脂材料からなるシート状の格子状枠構造体と、表面部と背面部とこれらの面部を繋いでいる繋ぎ部とから、その上下面に開口した貫通部を有するように構成されているコンクリート製の擁壁用ブロックとを使用して、切土工事、盛土工事等の工事により生じる法面に擁壁を建設する方法において、
格子状枠構造体を、その後端部が法面に隣接するようにして横方向に複数枚敷設し、その貫通部に第２の中詰材を充填して１層目の保護層を形成し、
前記１層目の保護層の上に整合するようにして格子状枠構造体を敷設し、その貫通部に第２の中詰材を充填して２層目の保護層を形成し、以下同様にして、擁壁用ブロックの高さと実質的に等しい高さになるように複数層の保護層を形成し、  前記複数の保護層と法面との間の空間部に第３の中詰材を充填して、複数の保護層と、前記第３の中詰材とからなる第１段目の保護基礎を構築し、
擁壁用ブロックを、前記第１段目の保護基礎の前方に、これに隣接して横方向に突き合わせた状態で複数個敷設し、敷設した前記複数個の擁壁用ブロックの貫通部に、これらの擁壁用ブロックの高さまで第１の中詰材を充填して擁壁基礎を構築し、前記保護基礎と前記擁壁基礎とにより１段目の擁壁を構築し、
前記１段目の擁壁の上に、格子状枠構造体を、その後端部が法面に隣接するようにして横方向に複数個敷設し、その貫通部に第２の中詰材を充填して１層目の保護層を形成し、
前記１層目の保護層の上に整合するようにして格子状枠構造体を敷設し、その貫通部に第２の中詰材を充填して２層目の保護層を形成し、以下同様にして、擁壁用ブロックの高さと実質的に等しい高さになるように複数層の保護層を形成し、  前記複数の保護層と法面との間の空間部に第３の中詰材を充填して複数の保護層と、前記第３の中詰材とからなる第２段目の保護基礎を構築し、
以下同様にして、擁壁用ブロックの高さと実質的に等しい高さになるように複数層の保護層を形成し、前記複数の保護層と法面との間の空間部に第３の中詰材を充填して複数の保護層と、前記第３の中詰材とからなる第２段目の保護基礎を構築し、
前記擁壁用ブロックを、前記第２段目の保護基礎の前方に、これに隣接して横方向に突き合わせた状態で複数個敷設し、敷設した前記複数個の擁壁用ブロックの貫通部に、これらの擁壁用ブロックの高さまで第１の中詰材を充填して擁壁基礎を構築し、前記保護基礎と前記擁壁基礎とにより２段目の擁壁を構築し、以下同様にして複数段の擁壁を構築して、所定高さの擁壁を建設するとき、
少なくとも、前記第１の中詰材としてはニッケル系スラグを充填することを特徴とする擁壁の建設方法。
【請求項３】
ハニカム構造または網目構造を呈するように、その上下面に開口した貫通部を有する樹脂材料からなるシート状の格子状枠構造体と、表面部と背面部とこれらの面部を繋いでいる繋ぎ部とから、その上下面に開口する貫通部を有するように構成されているコンクリート製の擁壁用ブロックとを使用して、切土工事、盛土工事等の工事により生じる法面に擁壁を建設する方法において、
擁壁用ブロックを、その背面部の下端部が法面に隣接するようにして横方向に複数個敷設し、敷設した前記擁壁用ブロックの貫通部には第１の中詰材を、そして敷設した前記擁壁用ブロックと法面との間の空間部には所定高さまで第３の中詰材を充填して１段目の下部擁壁を構築し、
次いで、前記１段目の下部擁壁の上に、擁壁用ブロックを、その背面部の下端部が法面に隣接するよう後方へずらして横方向に複数個敷設し、敷設した前記擁壁用ブロックの貫通部には第１の中詰材を、そして敷設した前記擁壁用ブロックと法面との間の空間部には所定高さまで第３の中詰材を充填して２段目の下部擁壁を構築し、
以下同様にして、法面に沿って複数段からなる下部擁壁を構築し、
前記下部擁壁の最上段の下部擁壁の上に、格子状枠構造体をその下方後端部が法面に隣接するようにして横方向に複数個敷設し、その貫通部に第２の中詰材を充填して１層目の上部擁壁を構築し、
前記１層目の上部擁壁の上に、格子状枠構造体を、その下方後端部が法面に隣接するようにして横方向に複数個敷設し、その貫通部に第２の中詰材を充填して２層目の上部擁壁を構築し、
以下同様にして、法面に沿って複数層からなる上部擁壁を構築して、前記複数段からなる下部擁壁と前記複数層の上部擁壁とからなる擁壁を建設するとき、
少なくとも、前記第１の中詰材としてはニッケル系スラグを充填することを特徴とする擁壁の建設方法。
【請求項４】
請求項１〜３のいずれかの項に記載の擁壁の建設方法において、前記第２、３の中詰材としてもニッケル系スラグを充填することを特徴とする擁壁の建設方法。
【請求項５】
請求項２または３に記載の擁壁の建設方法において、前記格子状枠構造体に代えて古タイヤを使用することを特徴とする擁壁の建設方法。
【請求項６】
表面部と背面部とこれらの面部を繋いでいる繋ぎ部とから、その上下面に開口する貫通部を有するように構成されているコンクリート製の擁壁用ブロックからなり、これらの擁壁用ブロックが、その背面部の下端部が法面に隣接した状態で横方向に複数個敷設され、その上にその背面部の下端部が法面に隣接した状態で横方向に複数個敷設され、以下同様にして上下方向に複数段重ねられた状態で敷設され、敷設されている前記擁壁用ブロックの貫通部には第１の中詰材が、そして敷設されている前記擁壁用ブロックと法面との間の空間部には第３の中詰材が充填されている擁壁であって、
少なくとも前記第１の中詰材にはニッケル系スラグが適用されていることを特徴とする擁壁。
【請求項７】
その後方下端部が法面に隣接して横方向に複数個敷設されている保護基礎と、前記保護基礎の前方に該保護基礎に隣接して横方向に複数個敷設されている擁壁基礎とからなる擁壁構造体が、その保護基礎の後方下端部が法面に隣接するようにして複数段に構築されている擁壁であって、
前記保護基礎は、ハニカム構造または網目構造を呈するように、その上下面に開口した貫通部を有し、上下方向に整合した状態で積み重ねられた複数枚の樹脂材料からなるシート状の格子状枠構造体と、前記積み重ねられた格子状枠構造体の貫通部に充填されている第２の中詰材と、前記積み重ねられた格子状枠構造体と法面との間の空間部に充填されている第３の中詰材とからなり、
前記擁壁基礎は、表面部と背面部とこれらの面部を繋いでいる繋ぎ部とから、その上下面に開口する貫通部を有するように構成されているコンクリート製の擁壁用ブロックと、前記擁壁用ブロックの貫通部に充填されている第１の中詰材とからなり、
前記第１、２、３の中詰材のうち、少なくとも前記第１の中詰材にはニッケル系スラグが適用されていることを特徴とする擁壁。
【請求項８】
同じように構成されている複数段の下部擁壁基礎から構築されている下部擁壁と、同じように構成されている複数段の上部擁壁基礎から構築されている上部擁壁とからなり、前記下部擁壁の上部に前記上部擁壁が構築されている擁壁であって、
前記下部擁壁基礎は、表面部と背面部とこれらの面部を繋いでいる繋ぎ部とから、その上下面に開口する貫通部を有するように構成され、その背面部の下端部が法面に隣接するようにして横方向に敷設されている複数個のコンクリート製の擁壁用ブロックと、その貫通部に充填されている第１の中詰材と、前記擁壁用ブロックと法面との間の空間部に充填されている第３の中詰材とからなり、
前記上部擁壁基礎は、ハニカム構造または網目構造を呈するように、その上下面に開口した貫通部を有するように構成され、その後方下端部が法面に隣接するようにして横方向に敷設されている複数枚の樹脂材料からなるシート状の格子状枠構造体と、その貫通部に充填されている第２の中詰材とからなり、
前記第１、２、３の中詰材の、少なくとも前記第１の中詰め材にはニッケル系スラグが適用されていることを特徴とする擁壁。
【請求項９】
請求項６〜８のいずれかの項に記載の擁壁において、前記第２、３の中詰材にもニッケル系スラグが適用されていることを特徴とする擁壁。
【請求項１０】
請求項７または８に記載の擁壁において、前記保護基礎あるいは前記上部擁壁基礎が前記格子状枠構造体に代えて古タイヤにより構築されていることを特徴とする擁壁。
【発明の詳細な説明】
【技術分野】
【０００１】
本発明は、切土、盛土等の法面の崩落を防止するために、法面に沿って形成されている壁状の土木建造物すなわち擁壁を建設する方法および擁壁に関するものである。
【背景技術】
【０００２】
宅地の造成、道路の建設、鉄道の敷設等の土木工事においては、周囲よりも高い地盤を掘削する、いわゆる切土工事、地盤に土砂を盛り上げて高くする、いわゆる盛土工事等が実施される。切土、盛土等によって形成される急傾斜の法面は、降雨や地震によって崩落し易い。したがって、このような法面には、壁状の土木構造物である擁壁が設けられている。また、擁壁の表面には所定の模様が施され、良好な景観が維持されるように努められている。このような擁壁には、工事現場において組まれる鉄筋にコンクリートを打設して法面に沿って一体的に形成するタイプもあるし、規格化された所定の形状の擁壁用ブロックを法面に沿って積み上げるタイプのものもある。後者のタイプの擁壁は、擁壁用ブロックが予め工場において製造される、いわゆるプレキャストコンクリート製から建設されるので、安価にかつ容易に施工することができる。
【先行技術文献】
【特許文献】
【０００３】
【特許文献１】特開平１−２８０１２８号公報
【特許文献２】特許第３８２３０７５号公報
【特許文献３】米国特許第４７９７０２６号明細書
【０００４】
特許文献１には、色々な形状のプレキャストコンクリート製の擁壁用ブロックが記載され、同文献１の第１１図には、いわゆる箱型擁壁用ブロックあるいはビン型擁壁用ブロックが示されている。この擁壁用ブロックは、擁壁を構築するとき表面側に現れる略長方形状の表面部と、裏面側に隠れる略長方形状の背面部と、表面部と背面部とを所定の間隔に接続している一対の繋ぎ部とから、全体が頂部と底部が開口した箱状を呈するように構成されている。したがって、このような擁壁用ブロックを法面に隣接して、且つ法面に沿って必要な個数だけ並べ、並べた擁壁用ブロックの内部の空間部と擁壁用ブロックと法面との間の空間部とに、砕石、栗石等を充填すると、１段目の擁壁を構築することができる。１段目の擁壁の上に、擁壁用ブロックを後方にずらして法面と隣接するように必要な個数だけ法面に沿って並べ、これらの擁壁用ブロックの内部の空間部と擁壁用ブロックと法面との間の空間部にも、同様に砕石、栗石等を充填すると、２段目の擁壁を構築することができる。以下同様にして複数段からなる擁壁を建設することができる。一般的な従来例を示す図５には、後に詳しく説明するように、このようにして構築された擁壁の断面が示されている。
【０００５】
特許文献２には、上記したような擁壁用ブロックにおいて背面部の高さが表面部の高さの略１／２になっていることを特徴とする擁壁用ブロックが記載されている。特許文献１に記載の擁壁用ブロックと同様にして擁壁を構築すると、比較的安定性の高い擁壁を得ることができる。
【０００６】
特許文献３には、可撓性樹脂材料からなる所定の厚さのシート状の格子状枠構造体が示されている。すなわち、このシート状の格子状枠構造体は複数本の帯が相互に内部結合され全体としてハニカム構造または網目構造を呈している。このような格子状枠構造体から擁壁を構築することも可能である。具体的には、格子状枠構造体を、その後端部が法面に隣接するようにして法面の沿って必要枚数並べて敷き、敷いた格子状枠構造体の内部に現場で得られた土砂、栗石等の中詰材を充填する。これにより、１層目の擁壁が構築される。次いで、１層目の擁壁の上に、必要枚数の格子状枠構造体を、その後端部が法面に沿うように法面側にずらして横方向に並べて敷き、その内部に中詰材を充填して２層目の擁壁を構築する。以下同様にして、法面に沿って複数の層からなる擁壁を構築することができる。
【発明の概要】
【発明が解決しようとする課題】
【０００７】
特許文献１、２に記載の擁壁用ブロックによれば、比較的安定した擁壁を構築することはできる。また、特許文献３に記載の格子状枠構造体によっても、安価に擁壁を構築することはできる。しかしながら、解決すべき問題点もある。例えば、特許文献１、２に記載の擁壁用ブロックは、他の一般的な擁壁用ブロックにも共通しているが、一つには、擁壁用ブロックと、砕石、栗石等の中詰材が高価であるという問題がある。擁壁用ブロックも中詰材も、共に高価であるので、高い擁壁を建設すると費用が嵩んでしまう。二つには、安定性の問題点を挙げることができる。この安定性については、次の段落で説明する。また、特許文献３に記載の格子状枠構造体から擁壁を構築する場合、十分な強度が得られないという問題がある。充分な強度が得られないので、擁壁全体の高さは２〜３ｍが限度である。したがって、特許文献３に記載の擁壁は、格子状枠構造体も中詰材も共に安価であるという利点を有してはいるが、高い擁壁を構築することがでないので、建設可能な場所が限られるという問題がある。
【０００８】
図５には、擁壁用ブロック５０、５０、…と、砕石、栗石等の中詰材５３、５３、…とから、法面５１に沿って構築された、従来の擁壁５２の断面が示されている。この擁壁５２の安定性は、例えば、法面５１を構成している背面土５５が水平方向に流動しようとする圧力、すなわち土圧に対する耐性で評価することができる。背面土５５は、降雨時、地震時等に水平に対して所定の角度に傾斜した面において最大せん断応力が作用して滑りが生じ易くなっているので、土圧は、このような滑りが生じ易い面、いわゆるすべり面５６ａ、５６ｂ、…を考慮して評価することができる。そうすると、例えば、擁壁５２の最上段、すなわち４段目に対する土圧は、符号５７ａで示されている部分の背面土５５の重量に比例することになり、擁壁５２の最上段とその下の段、すなわち３段目と４段目に対する土圧は、符号５７ａと符号５７ｂで示されている部分の背面土５５の重量に比例することになる。そして、擁壁５２の全体に作用する土圧は、符号５７ａ、５７ｂ、５７ｃ、５７ｄで示されている部分の背面土５５の重量に比例することになる。このような土圧に対する耐性は、擁壁５２の各段の前方向への滑りに対する摩擦力で与えられるので、擁壁５２の各段の重量、すなわち擁壁用ブロック５０、５０、…と中詰材５３、５３、…の重量が重要になる。そうすると、実質的に擁壁用ブロック５０、５０、…の奥行５９の長さに依存することになる。単純に擁壁用ブロック５０、５０、…の奥行５９を深くすれば土圧に対する耐性が向上することになり、高さの高い法面に対しても安定性の高い擁壁５２を建設することはできる。しかしながら、奥行５９が深くなると擁壁用ブロック５０、５０、…が大型になって、製造費と運搬費が共に高くなってしまうし、内部に充填する中詰材５３、５３、…の量も増え、建設コストが嵩んでしまうことになる。
【０００９】
本発明は、上記したような問題点に鑑みてなされたもので、具体的には、擁壁用ブロックは小型で、したがって中詰材も少量であるにも拘わらず、高い擁壁であっても土圧に対して十分な耐性を有し、安定性の高い擁壁を安価に構築できる建設方法と、このような安定性の高い擁壁を提供することを目的としている。
【課題を解決するための手段】
【００１０】
本発明は、上記目的を達成するために、切土工事、盛土工事等により生じる法面の擁壁の建設に、プレキャストコンクリート製の擁壁用ブロックを使用する。また、本発明は上記目的を達成するために、擁壁用ブロックの内部すなわち貫通部および擁壁用ブロックと法面との間の空間部には、中詰材としてニッケル系スラグからなる単粒度スラグを充填するように構成される。使用する擁壁用ブロックは、構築するとき表面側に現れる略長方形状の表面部と、裏面側に隠れる略長方形状の背面部と、表面部と背面部とを所定の間隔に接続している一対の繋ぎ部とから、全体が頂部と底部に開口した貫通部を有する箱状を呈するように構成されている。また、中詰材であるニッケル系スラグは、フェロニッケルを製造する過程で発生するスラグで、この溶融スラグを大気中で徐冷して岩盤化し、これを必要な粒度に破砕して得ることができる。または、空気を吹き込んで細かく球状化する、いわゆる風砕法によっても得ることができる。このようにして得られるニッケル系スラグの主成分は、シリカ（ＳｉＯ２）とマグネシア（ＭｇＯ）で天然鉱物の蛇紋岩、カンラン岩に似て極めて安定している。
【００１１】
他の発明は、擁壁の建設に、上記の擁壁用ブロックの他に、格子状枠構造体を使用する。そして、本発明は上記目的を達成するために、擁壁用ブロックと格子状枠構造体の貫通部および擁壁用ブロックと法面との間の空間部ならびに格子状枠構造体と法面との間の空間部には、中詰材を充填するように構成されるが、少なくとも前記擁壁用ブロックにはニッケル系スラグからなる単粒度スラグ、すなわち中詰材を充填するように構成される。使用する格子状枠構造体は、樹脂材料からなる複数本の所定幅の帯が相互に内部結合され全体としてハニカム構造または網目構造をし、その上下面に開口した貫通部を有するように構成されている。
【００１２】
さらに他の発明は、上記のような擁壁用ブロックと、格子状枠構造体に代えた古タイヤとを使用し、擁壁用ブロックの貫通部と古タイヤの内部空間にはニッケル系スラグからなる単粒度スラグを充填するように構成される。
【００１３】
すなわち、請求項１記載の発明は、上記目的を達成するために、表面部と背面部とこれらの面部を繋いでいる繋ぎ部とから、その上下面に開口する貫通部を有するように構成されているコンクリート製の擁壁用ブロックを使用して、切土工事、盛土工事等の工事により生じる法面に擁壁を建設する方法において、擁壁用ブロックを、その背面部の下端部が法面に隣接するようにして横方向に複数個突き合わせた状態で敷設し、敷設した前記擁壁用ブロックの貫通部には第１の中詰材を充填し、敷設した前記擁壁用ブロックと法面との間の空間部には第３の中詰材を充填して第１段目の擁壁を構築し、前記第１段目の擁壁の上に、擁壁用ブロックを、その背面部の下端部が法面に隣接するようにして横方向に複数個突き合わせた状態で敷設し、敷設した前記擁壁用ブロックの貫通部には第１の中詰材を充填し、敷設した前記擁壁用ブロックと法面との間の空間部には第３の中詰材を充填して第２段目の擁壁を構築し、以下同様にして複数段の擁壁を構築して、所定高さの擁壁を建設するとき、少なくとも、前記第１の中詰材としてはニッケル系スラグを充填するように構成される。
【００１４】
請求項２に記載の発明は、ハニカム構造または網目構造を呈するように、その上下面に開口した貫通部を有する樹脂材料からなるシート状の格子状枠構造体と、表面部と背面部とこれらの面部を繋いでいる繋ぎ部とから、その上下面に開口した貫通部を有するように構成されているコンクリート製の擁壁用ブロックとを使用して、切土工事、盛土工事等の工事により生じる法面に擁壁を建設する方法において、格子状枠構造体を、その後端部が法面に隣接するようにして横方向に複数枚敷設し、その貫通部に第２の中詰材を充填して１層目の保護層を形成し、前記１層目の保護層の上に整合するようにして格子状枠構造体を敷設し、その貫通部に第２の中詰材を充填して２層目の保護層を形成し、以下同様にして、擁壁用ブロックの高さと実質的に等しい高さになるように複数層の保護層を形成し、  前記複数の保護層と法面との間の空間部に第３の中詰材を充填して、複数の保護層と、前記第３の中詰材とからなる第１段目の保護基礎を構築し、擁壁用ブロックを、前記第１段目の保護基礎の前方に、これに隣接して横方向に突き合わせた状態で複数個敷設し、敷設した前記複数個の擁壁用ブロックの貫通部に、これらの擁壁用ブロックの高さまで第１の中詰材を充填して擁壁基礎を構築し、前記保護基礎と前記擁壁基礎とにより１段目の擁壁を構築し、前記１段目の擁壁の上に、格子状枠構造体を、その後端部が法面に隣接するようにして横方向に複数個敷設し、その貫通部に第２の中詰材を充填して１層目の保護層を形成し、前記１層目の保護層の上に整合するようにして格子状枠構造体を敷設し、その貫通部に第２の中詰材を充填して２層目の保護層を形成し、以下同様にして、擁壁用ブロックの高さと実質的に等しい高さになるように複数層の保護層を形成し、前記複数の保護層と法面との間の空間部に第３の中詰材を充填して複数の保護層と、前記第３の中詰材とからなる第２段目の保護基礎を構築し、以下同様にして、擁壁用ブロックの高さと実質的に等しい高さになるように複数層の保護層を形成し、前記複数の保護層と法面との間の空間部に第３の中詰材を充填して複数の保護層と、前記第３の中詰材とからなる第２段目の保護基礎を構築し、前記擁壁用ブロックを、前記第２段目の保護基礎の前方に、これに隣接して横方向に突き合わせた状態で複数個敷設し、敷設した前記複数個の擁壁用ブロックの貫通部に、これらの擁壁用ブロックの高さまで第１の中詰材を充填して擁壁基礎を構築し、前記保護基礎と前記擁壁基礎とにより２段目の擁壁を構築し、以下同様にして複数段の擁壁を構築して、所定高さの擁壁を建設するとき、少なくとも、前記第１の中詰材としてはニッケル系スラグを充填するように構成される。
【００１５】
請求項３に記載の発明は、ハニカム構造または網目構造を呈するように、その上下面に開口した貫通部を有する樹脂材料からなるシート状の格子状枠構造体と、表面部と背面部とこれらの面部を繋いでいる繋ぎ部とから、その上下面に開口する貫通部を有するように構成されているコンクリート製の擁壁用ブロックとを使用して、切土工事、盛土工事等の工事により生じる法面に擁壁を建設する方法において、擁壁用ブロックを、その背面部の下端部が法面に隣接するようにして横方向に複数個敷設し、敷設した前記擁壁用ブロックの貫通部には第１の中詰材を、そして敷設した前記擁壁用ブロックと法面との間の空間部には所定高さまで第３の中詰材を充填して１段目の下部擁壁を構築し、次いで、前記１段目の下部擁壁の上に、擁壁用ブロックを、その背面部の下端部が法面に隣接するよう後方へずらして横方向に複数個敷設し、敷設した前記擁壁用ブロックの貫通部には第１の中詰材を、そして敷設した前記擁壁用ブロックと法面との間の空間部には所定高さまで第３の中詰材を充填して２段目の下部擁壁を構築し、以下同様にして、法面に沿って複数段からなる下部擁壁を構築し、前記下部擁壁の最上段の下部擁壁の上に、格子状枠構造体をその下方後端部が法面に隣接するようにして横方向に複数個敷設し、その貫通部に第２の中詰材を充填して１層目の上部擁壁を構築し、
前記１層目の上部擁壁の上に、格子状枠構造体を、その下方後端部が法面に隣接するようにして横方向に複数個敷設し、その貫通部に第２の中詰材を充填して２層目の上部擁壁を構築し、以下同様にして、法面に沿って複数層からなる上部擁壁を構築して、前記複数段からなる下部擁壁と前記複数層の上部擁壁とからなる擁壁を建設するとき、少なくとも、前記第１の中詰材としてはニッケル系スラグを充填するように構成される。
【００１６】
請求項４に記載の発明は、請求項１〜３のいずれかの項に記載の擁壁の建設方法において、前記第２、３の中詰材としてもニッケル系スラグを充填するように構成される。請求項５に記載の発明は、請求項２または３に記載の擁壁の建設方法において、前記格子状枠構造体に代えて古タイヤを使用するように構成される。
【００１７】
請求項６に記載の発明は、表面部と背面部とこれらの面部を繋いでいる繋ぎ部とから、その上下面に開口する貫通部を有するように構成されているコンクリート製の擁壁用ブロックからなり、これらの擁壁用ブロックが、その背面部の下端部が法面に隣接した状態で横方向に複数個敷設され、その上にその背面部の下端部が法面に隣接した状態で横方向に複数個敷設され、以下同様にして上下方向に複数段重ねられた状態で敷設され、敷設されている前記擁壁用ブロックの貫通部には第１の中詰材が、そして敷設されている前記擁壁用ブロックと法面との間の空間部には第３の中詰材が充填されている擁壁であって、少なくとも前記第１の中詰材にはニッケル系スラグが適用されている。
【００１８】
請求項７に記載の発明は、その後方下端部が法面に隣接して横方向に複数個敷設されている保護基礎と、前記保護基礎の前方に該保護基礎に隣接して横方向に複数個敷設されている擁壁基礎とからなる擁壁構造体が、その保護基礎の後方下端部が法面に隣接するようにして複数段に構築されている擁壁であって、前記保護基礎は、ハニカム構造または網目構造を呈するように、その上下面に開口した貫通部を有し、上下方向に整合した状態で積み重ねられた複数枚の樹脂材料からなるシート状の格子状枠構造体と、前記積み重ねられた格子状枠構造体の貫通部に充填されている第２の中詰材と、前記積み重ねられた格子状枠構造体と法面との間の空間部に充填されている第３の中詰材とからなり、前記擁壁基礎は、表面部と背面部とこれらの面部を繋いでいる繋ぎ部とから、その上下面に開口する貫通部を有するように構成されているコンクリート製の擁壁用ブロックと、前記擁壁用ブロックの貫通部に充填されている第１の中詰材とからなり、前記第１、２、３の中詰材のうち、少なくとも前記第１の中詰材にはニッケル系スラグが適用されている。
【００１９】
請求項８に記載の発明は、同じように構成されている複数段の下部擁壁基礎から構築されている下部擁壁と、同じように構成されている複数段の上部擁壁基礎から構築されている上部擁壁とからなり、前記下部擁壁の上部に前記上部擁壁が構築されている擁壁であって、前記下部擁壁基礎は、表面部と背面部とこれらの面部を繋いでいる繋ぎ部とから、その上下面に開口する貫通部を有するように構成され、その背面部の下端部が法面に隣接するようにして横方向に敷設されている複数個のコンクリート製の擁壁用ブロックと、その貫通部に充填されている第１の中詰材と、前記擁壁用ブロックと法面との間の空間部に充填されている第３の中詰材とからなり、前記上部擁壁基礎は、ハニカム構造または網目構造を呈するように、その上下面に開口した貫通部を有するように構成され、その後方下端部が法面に隣接するようにして横方向に敷設されている複数枚の樹脂材料からなるシート状の格子状枠構造体と、その貫通部に充填されている第２の中詰材とからなり、前記第１、２、３の中詰材の、少なくとも前記第１の中詰め材にはニッケル系スラグが適用されている。
【００２０】
請求項９に記載の発明は、請求項６〜８のいずれかの項に記載の擁壁において、前記第２，３の中詰材にもニッケル系スラグが適用され、請求項１０に記載の発明は、請求項７または８に記載の擁壁において、前記保護基礎あるいは前記上部擁壁基礎が前記格子状枠構造体に代えて古タイヤにより構築されている。
【発明の効果】
【００２１】
以上のように、本発明によると、コンクリート製の擁壁用ブロックを、その背面部の下端部が法面に隣接するようにして横方向に複数個突き合わせた状態で敷設し、敷設した前記擁壁用ブロックの貫通部には第１の中詰材を充填し、敷設した前記擁壁用ブロックと法面との間の空間部には第３の中詰材を充填して第１段目の擁壁を構築し、前記第１段目の擁壁の上に、擁壁用ブロックを、その背面部の下端部が法面に隣接するようにして横方向に複数個突き合わせた状態で敷設し、敷設した前記擁壁用ブロックの貫通部には第１の中詰材を充填し、敷設した前記擁壁用ブロックと法面との間の空間部には第３の中詰材を充填して第２段目の擁壁を構築し、以下同様にして複数段の擁壁を構築して、所定高さの擁壁を建設するとき、少なくとも、前記第１の中詰材としてはニッケル系スラグを充填するように構成されているので、すなわち中詰材として比重の大きいニッケル系スラグを充填するので、擁壁用ブロックは小型で、したがって中詰材も少量であるにも拘わらず十分に重量を有し、高い擁壁であっても土圧に対して十分な耐性を有し、安定性の高い擁壁を構築できるという、本発明に特有の効果が得られる。また、ニッケル系スラグは、廃棄される鉱滓で、それを利用するので安価に擁壁を建設することもできる。また、高炉水砕スラグは、酸化あるいは錆により塊り、容積が不安定であり、容積の増加により擁壁に異常な力が作用して擁壁を変形させる可能性もあるが、ニッケル系スラグは、このような問題が無く、安定した擁壁を得ることができる。
【００２２】
また、他の発明によると、格子状枠構造体と、この格子状枠構造体の貫通部に充填されている第２の中詰材からなる複数層の保護層が法面に接して形成され、擁壁用ブロックは前記複数層の保護層の前方に接して横方向に複数個突き合わされて、貫通部にニッケル系スラグが充填されているので、すなわち、中詰材としてニッケル系スラグが充填されているので、前記のような効果が得られると共に、擁壁用ブロックと法面との間には保護層が設けられているので、次の２つの作用によって擁壁の土圧に対する耐性が高くなっている。１つ目の作用あるいは効果は、保護層の奥行きの分だけ、擁壁用ブロックの奥行きが長くなったのと同じ効果が得られ、擁壁の重量が増して土圧に対する耐性が高くなっている。２つ目の効果は、背面土の内部に存在すると考えられる複数面のすべり面のうち、保護層によって一部が遮られているすべり面においては背面土のすべりが生じないので、擁壁用ブロックの近傍のすべり面において実質的に背面土のすべりが抑制されて、擁壁用ブロックに作用する土圧が緩和されることである。このように背面土からの土圧に対して十分な耐性を有するので、本発明に係る擁壁は、高くしても安定性を有する。さらには、格子状枠構造体は安価であるので、保護層が設けられていない擁壁と比べても、構築コストの差はわずかであり、安価に擁壁を構築することができる。また、保護層を古タイヤから形成する発明によると、廃棄するために処分費用を要する古タイヤを使用するので、さらに構築コストが安価になるという効果が得られ、環境問題の解決に益することにもなる。
【００２３】
さらに他の発明によると、擁壁用ブロックから構築されている複数段の下部擁壁と、この下部擁壁の上に格子状枠構造体から構築されている複数層の上部擁壁とから構成されているので、前記のような効果に加えて、擁壁の上部を安価な格子状枠構造体から構築することができ、擁壁全体の構築コストが安価になるという効果が得られる。また、擁壁用ブロックは重機によって積み上げる必要があるが、上部擁壁は重機で積み上げる必要のない軽量の格子状枠構造体から構築することができるので、格別に大型の重機を要することもない。
【図面の簡単な説明】
【００２４】
【図１】本発明の実施の形態を示す図で、その（ア）は擁壁用ブロックを、そしてその（イ）はそれぞれ格子状枠構造体を模式的に示す斜視図である。
【図２】本発明の実施の形態に係る擁壁の構築方法の実施により構築された擁壁を模式的に示す側断面図である。
【図３】本発明の第２の実施の形態に係る擁壁の構築方法の実施により構築された擁壁を模式的に示す側断面図である。
【図４】本発明の第３の実施の形態に係る擁壁の構築方法の実施により構築された擁壁を模式的に示す側断面図である。
【図５】従来の擁壁を模式的に示す側断面図である。
【発明を実施するための形態】
【００２５】
以下、本発明の実施の形態を説明する。本実施の形態に係る擁壁は、プレキャストコンクリート製の擁壁用ブロック１とニッケル系スラグとから構築される。あるいは、プレキャストコンクリート製の擁壁用ブロック１と樹脂製の格子状枠構造体１６とニッケル系スラグとから構築される。または、プレキャストコンクリート製の擁壁用ブロック１と古タイヤとニッケル系スラグとから構築される。
【００２６】
初めに、擁壁用ブロック１の実施の形態について説明する。擁壁用ブロック１は、図１の（ア）に示されているように、頂部と底部が開口した略箱状を呈する、いわゆる箱型擁壁用ブロックもしくはビン型擁壁用ブロックと呼ばれているタイプの擁壁用ブロックである。擁壁用ブロック１は、長方形のプレート状を呈する所定厚さの表面部２と、同様に長方形のプレート状を呈する所定厚さの背面部３と、表面部２と背面部３とを接合している所定厚さの一対の繋ぎ部５、６とから、コンクリートにより一体的に製造されている。したがって、表面部２と背面部３と一対の繋ぎ部５、６とにより、その内側に上下が開口した箱状の空間７が構成されている。この空間７に擁壁構築時に中詰材であるニッケル系スラグが充填されるようになっている。
【００２７】
表面部２と背面部３は、より詳しく説明すると、これらのそれぞれの左右の端縁から、あるいは突合部から所定の長さだけ内側に寄った位置において、一対の繋ぎ部５、６により一体的に接合されている。したがって、表面部２と背面部３には、一対の繋ぎ部５、６の接続部よりも外方に突き出た部分、いわゆる耳部９、１０、…が形成されている。この耳部９、１０、…によって、隣り合う２個の擁壁用ブロック１、１の間にも、上下が開口した箱状の空間１１が構成されることになる。この箱状の空間１１にもニッケル系スラグが充填される。表面部２の左右の突合部には、浅い切欠１２、１２が形成されている。これらの切欠１２、１２により、擁壁用ブロック１、１、…を横方向に突き合わせて並べるとき、隣り合う擁壁用ブロック１、１の突合部にスリット１３、１３が形成されることになる。これらのスリット１３、１３により、擁壁が構築されたとき、湧き水や擁壁内に溜まった雨水が排出される。擁壁用ブロック１の背面部３の横幅は、表面部２のそれよりもわずかに狭い。したがって、突き合わされる２個の擁壁用ブロック１、１の背面部３、３の間に所定の遊びが生じる。この遊びによって、法面が湾曲していても、隣り合う表面部２、２の突合部に隙間が生じることなく擁壁用ブロック１、１、…を横方向に並べることができる。このような擁壁用ブロック１の表面部２には、所定の模様Ｍが施され、擁壁が構築されたときに、あたりの景観を損なわないように考慮されている。
【００２８】
第１の実施の形態の擁壁を説明する前に、第２〜４の実施の形態の擁壁の構築に使用される格子状枠構造体１６について説明する。格子状枠構造体１６は、テラセル（登録商標）として知られているように、可撓性の樹脂材料から形成されている。格子状枠構造体１６は、図１の（イ）に示されているように、複数本の帯１７、１７、…から構成されている。帯１７、１７、…は、所定の幅、例えば約５〜２０ｃｍの幅で所定の厚さに形成され、帯１７、１７、…の表面には、透水用の小径の孔が多数明けられている。このような帯１７、１７、…が、幅方向に立てられた状態で所定の部分１９、１９、…において相互に結合され、平面的に見るとハニカム構造あるいは網目構造を呈するように形成されている。このように形成されている格子状枠構造体１６は、矢印２０、２０方向に伸縮させることができ、縮ませると帯１７、１７、…は全体として棒状を呈するようになり、伸張すると網の目構造のシート状を呈するようになる。格子状枠構造体１６の内部に構成されている空所２１、２１、…には、現場の土砂が充填されるようになっているが、ニッケル系スラグを充填することもできるし、現場の土砂とニッケル系スラグの混合物を充填することも可能である。
【００２９】
最初に、前記擁壁用ブロック１とニッケル系スラグとにより、第１の実施の形態に係る擁壁２２を構築する構築方法を、図２も参照しながら説明する。図２の側断面図に示されているように、擁壁用ブロック１の背面部３の下端部が法面２４に接するようにして敷く。このとき、図２において紙面に垂直な方向、すなわち法面２４に沿って水平方向に必要な個数の擁壁用ブロック１、１、…を敷く。そして、擁壁用ブロック１の内部の空所７、７、…および隣り合う擁壁用ブロック１、１、…空間１１、１１、…に中詰材すなわちニッケル系スラグ２９を充填する。また、擁壁用ブロック１、１、…の背面部３、３、…と法面２４との間の空間２４’にも充填する。これにより、第１段目の擁壁２０ａが構築される。
【００３０】
ニッケル系スラグは、前述もしたように、フェロニッケルを製造する過程で発生するスラグで、この溶融スラグを大気中で徐冷して岩盤化し、これを必要な粒度に破砕して得ることができる。充填材としては、限定するものではないが、品番単粒スラグＳ−４０が適している。
【００３１】
上記のようにして構築された第１段目の擁壁の２０ａの上に、上記したようにして擁壁用ブロック１の背面部３の下端部が法面２４に接するようにして、必要個数の擁壁用ブロック１、１、…敷く。そして、擁壁用ブロック１の内部の空所７、７、…と隣り合う擁壁用ブロック１、１、…の空間１１、１１、…にニッケル系スラグ２９を充填する。また、擁壁用ブロック１、１、…の背面部３、３、…と法面２４との間の空間２４’にも充填する。これにより、第２段目の擁壁２０ｂが構築される。以下同様にして複数段２０ａ、２０ｂ、…からなる擁壁２２を構築する。
【００３２】
第１の形態に係る擁壁２２の作用について説明する。擁壁２２は、法面２４から背面土３２の土圧を水平方向に受ける。このような土圧は、水平に対して所定の角度に傾斜した仮想的な面、いわゆる従来周知の計算方法あるいは土質試験データにより得られるすべり面を考慮して評価することができる。擁壁２２の全体には、符号３５で示されている部分の背面土３２の重量によって水平方向の土圧が作用する。本実施の形態に係る擁壁２２は、擁壁用ブロック１、１、…とニッケル系スラグ２９とによって構成されているが、ニッケル系スラグ２９の比重は、従来中詰材として適用されてきた単粒度砕石、栗石等の２．５５に対して３．０６のように大きいので、擁壁用ブロック１、１、…とニッケル系スラグ２９の重量とによって水平方向の上記土圧に十分に耐えることができ、高い擁壁を構築しても、安定することになる。
【００３３】
次に、擁壁用ブロック１と格子状枠構造体１６とから、第２の形態に係る擁壁２３を構築する構築方法を、図３も参照しながら説明する。図３の側断面図に示されているように、格子状枠構造体１６を、その後端部が法面２４に接するようにして敷く。このとき、図３において紙面に垂直な方向、すなわち法面２４に沿って水平方向に必要な枚数の格子状枠構造体１６、１６、…を敷く。そして、格子状枠構造体１６の内部の空所２１、２１、…に現場で採掘された土砂、またはニッケル系スラグを充填して、１層目の保護層２６ａ１を形成する。次いで、１層目の保護層２６ａ１の上に、同様にして２層目の格子状枠構造体１６を法面２４に沿って敷き、内部に現場で採掘された土砂、またはニッケル系スラグを充填して、２層目の保護層２６ａ２を形成する。以下同様にして、３層目、４層目、…の保護層２６ａ３、２６ａ４、…を形成して、複数の保護層２６ａ１、２６ａ２、…の合計高さが、ちょうど擁壁用ブロック１の高さと実質的に等しい高さになるように形成する。１個の擁壁用ブロック１の高さと、複数個の格子状枠構造体１６、１６、…が略等しくなるように、擁壁用ブロック１と格子状枠構造体１６はあらかじめ製造されている。このようにして保護層を形成するとき、複数層の保護層２６ａ１、２６ａ２、…と法面２４の間の空所２７にも、現場で採掘された土砂、またはニッケル系スラグを充填する。これにより、保護基礎１６Ａが構築される。
【００３４】
次いで、保護基礎１６Ａの前方に、これらの保護層２６ａ１、２６ａ２、…に隣接して、あるいは沿って必要な個数の１段目の擁壁用ブロック１、１、…を順次突き合わせて敷設する。突き合わせた１段目の擁壁用ブロック１、１、…の内部に、擁壁用ブロック１の高さまで、ニッケル系スラグを充填する。これにより、擁壁基礎１Ａが構築される。前記保護基礎１６Ａと擁壁基礎１Ａとにより１段目の擁壁３０ａが構築される。
【００３５】
１段目の擁壁３０ａの上に、１層目の格子状枠構造体１６を必要な枚数だけ法面２４に沿って敷く。このとき、１層目の格子状枠構造体１６の後端部が法面２４に接するように敷く。現場で採掘された土砂、またはニッケル系スラグを充填して新たに１層目の保護層２６ｂ１を形成する。形成された１層目の保護層２６ｂ１の上に格子状枠構造体１６を整合状態で必要な枚数だけ横方向に敷き、内部に現場で採掘された土砂、またはニッケル系スラグを充填して、２層目の保護層２６ｂ２を形成する。同様にして、３層目、４層目、…の保護層２６ｂ３、２６ｂ４、…を形成して、複数層の保護層２６ｂ１、２６ｂ２、…の合計高さが、ちょうど２段目の擁壁用ブロック１の高さと実質的に等しい高さになるように構築する。このとき、複数層の保護層２６ｂ１、２６ｂ２、…と法面２４の間の空所２７にも、現場で採掘された土砂、またはニッケル系スラグを充填する。これにより、２段目の保護基礎が構築される。２段目の保護基礎の前方に隣接して、必要な個数の２段目の擁壁用ブロック１、１、…を横方向に突き合わせて敷設する。突き合わせた擁壁用ブロック１、１、…の内部に、擁壁用ブロック１の高さまで、ニッケル系スラグ２９を充填する。そうすると、２段目の擁壁基礎が構築される。前記２段目の保護基礎と擁壁基礎とにより、２段目の擁壁３０ｂが形成される。以下同様にして、複数段、図示の実施の形態では４段からなる擁壁３０a〜３０ｄすなわち本実施の第２の形態に係る擁壁２３を構築する。
【００３６】
第２の形態に係る擁壁２３の作用について説明する。擁壁２３は、法面２４から背面土３２の土圧を水平方向に受ける。このような土圧は、水平に対して所定の角度に傾斜した仮想的な面、いわゆる従来周知の計算方法あるいは土質試験データにより得られるすべり面を考慮して評価することができる。図３には、背面土３２内の複数のすべり面３４ａ、３４ｂ、３４ｃ、３４ｄと、背面土３２の、それぞれのすべり面３４ａ、３４ｂ、３４ｃ、３４ｄによって区画された部分３５ａ、３５ｂ、３５ｃ、３５ｄが示されている。最上段の擁壁３０ｄすなわち図３において４段目の擁壁３０ｄには、符号３５ａで示されている部分の背面土３２の重量によって水平方向の土圧が作用する。同様にして、３段目と４段目の擁壁３０ｃ、３０ｄには、符号３５ａと符号３５ｂで示されている２箇所の部分の背面土３２の重量によって水平方向の土圧が作用し、擁壁２３全体には、符号３５ａ〜３５ｄで示されている部分の背面土３２の重量によって水平方向の土圧が作用する。本実施の形態に係る擁壁２３は、擁壁用ブロック１、１、…とニッケル系スラグの重量と、複数層の保護層２６ａ１〜２６ｄ６の重量によって水平方向の土圧に十分に耐えることができる。また、図３において点線で示されているすべり面３６ａ、３６ｂ、３６ｃ、３６ｄは、複数層の保護層２６ｄ６〜、２６ａ１によって遮られているので、これらの面においては背面土３２は滑り難くなっており、土圧を考慮するときに、これらのすべり面３６ａ、３６ｂ、３６ｃ、３６ｄを考慮しなくて済む。これらの効果によって、本実施の形態に係る擁壁２３は、土圧に対して十分な耐性を有し、高さの高い擁壁を構築しても、安定することになる。
【００３７】
第３の実施の形態に係る擁壁は、第２の実施の形態の擁壁における複数層からなる保護層が、格子状枠構造体１６、１６、…の代わりに使用済みのタイヤから形成されている点を除けば、第２の実施の形態の擁壁と実質的に同様に構築されている。詳しい説明は省略するが、第３の実施の形態に係る保護層は、法面に接するように必要な本数のタイヤを水平にして敷き詰め、これらの複数本のタイヤに現場で採掘された土砂、またはニッケル系スラグを充填して１層目の保護層を形成する。次いで、１層目の保護層の上に、同様に必要な本数のタイヤを水平にして敷き詰め、現場で採掘された土砂、またはニッケル系スラグを充填して２層目の保護層を形成する。このようにして、第２の実施の形態における保護層と同様に、複数層からなる保護層を形成する。第３の実施の形態に係る擁壁も、複数層からなる保護層の作用によって第２の実施の形態に係る擁壁と実質的に同等の効果を奏することになり、背面土の土圧に対して十分な耐性を有する。
【００３８】
最後に、第４の実施の形態に係る擁壁３８について説明する。第４の実施の形態に係る擁壁３８は、図４に示されているように、複数段の擁壁用ブロック１、１、…からなる下部擁壁３９と、複数層の格子状枠構造体１６、１６、…からなる上部擁壁４０とから構成されている。すなわち、下部擁壁３９の上部に上部擁壁４０が構築されている。第４の擁壁３８の構築方法を説明する。必要な個数の擁壁用ブロック１、１、…の下端部の後端部が法面２４に接するようにして法面２４に沿って順次突き合わせて敷設する。突き合わされた複数個の擁壁用ブロック１、１、…の内部および擁壁用ブロック１、１、…と法面２４との間に、擁壁用ブロック１の高さまでニッケル系スラグを充填する。そうすると、１段目の下部擁壁が得られる。１段目の下部擁壁の上に、必要な個数の擁壁用ブロック１、１、…を法面２４の方向にずらして、その後端部が法面２４に接するようにして沿わせて順次突き合わせて敷設する。ニッケル系スラグ２９を充填して２段目の下部擁壁を形成する。以下同様にして、複数段からなる下部擁壁３９を形成する。次に、下部擁壁３９の最上段の上に、その後端部が法面２４に接するようにして、必要な枚数の格子状枠構造体１６、１６、…を法面２４に沿って並べて敷く。敷設した格子状枠構造体１６、１６、…の内部に現場で採掘された土砂、またはニッケル系スラグを充填して、１層目の上部擁壁を形成する。１層目の上部擁壁の上に、その後端部が法面２４に接するように後方へずらして、必要な枚数の格子状枠構造体１６、１６、…を横方向に敷いて、内部に現場で採掘された土砂、またはニッケル系スラグを充填して、２層目の上部擁壁を形成する。以下同様にして、複数層からなる上部擁壁４０を形成する。これにより、第４の実施の形態に係る擁壁３８が得られる。
【００３９】
第４の実施の形態に係る擁壁３８も、法面２４から背面土３２の土圧を受ける。このうち、上部擁壁４０が受ける土圧は、すべり面４２ａによって区画された符号４３ａの部分の背面土３２から受ける。この部分の背面土３２の重量は比較的小さいので、格子状枠構造体１６からなる上部擁壁４０であっても、土圧に対して十分耐えることができる。なお、第４の実施の形態に係る擁壁３８においては、上部擁壁４０の高さは３ｍ以内が好ましい。
【００４０】
本実施の形態に係る擁壁は、色々な変形が可能である。例えば、擁壁用ブロックには色々な形状のものが適用可能であり、特許文献２に記載の擁壁用ブロックを適用することができるし、いわゆる箱型擁壁用ブロックではなく、他の形状の擁壁用ブロックであっても適用することができる。また、複数層からなる保護層についても変形が可能である。すなわち、第２の実施の形態に係る擁壁においては、複数層からなる保護層と法面の間には、図３に示されているように空所２７、２７、…が形成されているように説明されているが、各層の格子状枠構造体の奥行き、換言すると幅を下層から上層に向かって幅広になるようにすれば、空所２７は形成されない。すなわち、各層の格子状枠構造体１６、１６、…の後端部が全て法面２４に接することになる。このように実施すると、複数層からなる保護層が法面２４と連続的に接することになるので、さらに擁壁の安定性が向上する。また、格子状枠構造体１６、１６、…を積み上げる毎に中詰材を充填する旨説明されているが、２〜３段毎にまとめて充填することもできる。このように充填しても、当業者には明らかなように、同様な効果が得られるので、このような充填方法も特許請求の範囲に含まれることになる。さらには、図４に関して、格子状枠構造体１６、１６、…の後方端部と法面２４との間に形成される空間は一般に狭いが、この狭い空間にもニッケル系スラグを充填するように実施することもできる。また、図１の（イ）に示されているように、１個の格子状枠構造体１６の横方向の長さは、擁壁ブロック１よりも一般に長いので、横方向すなわち法面２４に沿って並べる個数は異なるが、そのような説明はされていない。
【００４１】
また、上記実施の形態では、擁壁ブロック１の内部７、擁壁ブロック１の背面部３と法面２４とで構成される空間、格子状枠構造体１６の空所２１、保護基礎１６Ａ、１６Ｂ、…と法面２４の間の空所２７にも、ニッケル系スラグを充填するようになっているが、他の中詰材を充填することもでき、例えば、砕石、栗石等を空所２７に充填するように実施することもできる。比重の大きいニッケル系スラグが、少なくとも擁壁ブロック１の内部７に充填されているので、小さな擁壁でも水平方向の滑りには耐えることができる。
【００４２】
いわゆる高炉水砕スラグとして周知の、製鉄において副次的に生成される鉄鋼スラグは、ニッケル系スラグと同様に比重が高いので、擁壁ブロックの中詰材として利用することも考えられる。しかしながら、高炉水砕スラグを中詰材に適用してしまうと、雨水、地下水等で錆びて赤水が発生して擁壁表面に浮き出てしまい、擁壁表面が錆びによって汚れて景観の点で好ましくない。さらには、互いにくっつくことがなく粒状が維持されるニッケル系スラグと異なり、高炉水砕スラグは水分によって互いにくっついて塊状に固化してしまう。そうすると、擁壁ブロックの上下の段が独立することによって、すなわち柔構造によって安定性を維持している擁壁においては、必要な柔構造が得られなくなってしまい、安定性の高い擁壁が構築できなくなる問題がある。中詰材に高炉水砕スラグを採用することはできない。
【符号の説明】
【００４３】
１      擁壁用ブロック          ２      表面部
３      背面部                  ７      空間部
１６      格子状枠構造体        ２１      空所
２３      擁壁                  ２４      法面
２６      保護層                ２９      第２の中詰材
【図１】
2011043032.tif 000003
【図２】
2011043032.tif 000004
【図３】
2011043032.tif 000005
【図４】
2011043032.tif 000006
【図５】
2011043032.tif 000007